【手続補正書】
【提出日】平成21年10月1日(2009.10.1)
【手続補正１】
【補正対象書類名】特許請求の範囲
【補正対象項目名】全文
【補正方法】変更
【補正の内容】
【特許請求の範囲】
【請求項１】
光を電荷に光電変換する第１の光電変換素子及び第２の光電変換素子と、
前記第１の光電変換素子及び前記第２の光電変換素子で共有され、前記第１の光電変換素子又は前記第２の光電変換素子から転送された電荷を一時的に蓄積する蓄積部と、
前記第１の光電変換素子と前記蓄積部との間に配置された第１の転送スイッチと、
前記第２の光電変換素子と前記蓄積部との間に配置された第２の転送スイッチと、
前記蓄積部に蓄積された電荷を電圧に変換する電荷電圧変換部と、
前記第１の光電変換素子及び前記第２の光電変換素子で共有され、前記第１の光電変換素子又は前記第２の光電変換素子の余剰電荷を排出する電荷排出部と、
を備えることを特徴とする光電変換装置。
【請求項２】
前記第１の転送スイッチに第１の電圧が印加され、前記第２の転送スイッチに前記第１の電圧とは異なる第２の電圧が印加されることを特徴とする請求項１に記載の光電変換装置。
【請求項３】
前記第２の電圧が前記第１の電圧よりも高い場合に、前記第１の光電変換素子の余剰電荷が前記蓄積部に蓄積されるとともに前記第２の光電変換素子の余剰電荷が前記電荷排出部に排出され、前記第１の電圧が前記第２の電圧よりも高い場合に、前記第１の光電変換素子の余剰電荷が前記電荷排出部に排出されるとともに前記第２の光電変換素子の余剰電荷が前記蓄積部に蓄積されることを特徴とする請求項２に記載の光電変換装置。
【請求項４】
前記蓄積部に蓄積された余剰電荷に基づく画像信号と、その余剰電荷を発生した光電変換素子に蓄積された電荷に基づく画像信号とが合成されることを特徴とする請求項３に記載の光電変換装置。
【請求項５】
光学系と、
請求項１乃至４のいずれか１項に記載の光電変換装置と、
を備えることを特徴とする撮像装置。
【請求項６】
光を電荷に光電変換する第１の光電変換素子及び第２の光電変換素子と、前記第１の光電変換素子及び前記第２の光電変換素子で共有され、前記第１の光電変換素子又は前記第２の光電変換素子から転送された電荷を一時的に蓄積する蓄積部と、前記第１の光電変換素子と前記蓄積部との間に配置された第１の転送スイッチと、前記第２の光電変換素子と前記蓄積部との間に配置された第２の転送スイッチと、前記蓄積部に蓄積された電荷を電圧に変換する電荷電圧変換部と、前記第１の光電変換素子及び前記第２の光電変換素子で共有され、前記第１の光電変換素子又は前記第２の光電変換素子の余剰電荷を排出する電荷排出部とを備える光電変換装置を制御する方法であって、
前記第１の転送スイッチに第１の電圧を印加し、前記第２の転送スイッチに前記第１の電圧とは異なる第２の電圧を印加することを特徴とする光電変換装置の制御方法。
【請求項７】
光を電荷に光電変換する第１の光電変換素子及び第２の光電変換素子と、前記第１の光電変換素子及び前記第２の光電変換素子で共有され、前記第１の光電変換素子又は前記第２の光電変換素子から転送された電荷を一時的に蓄積する蓄積部と、前記蓄積部に転送された電荷を電圧に変換する電荷電圧変換部と、前記第１の光電変換素子及び前記第２の光電変換素子で共有され、前記第１の光電変換素子又は前記第２の光電変換素子の余剰電荷を排出する電荷排出部とを備える光電変換装置と、
前記第１の光電変換素子又は前記第２の光電変換素子の光電変換により発生する電荷に基づく画像信号の信号量に応じて、前記第１の光電変換素子又は前記第２の光電変換素子の余剰電荷を前記蓄積部に排出する第１の動作モードで前記光電変換装置を動作させるか、前記第１の光電変換素子又は前記第２の光電変換素子の余剰電荷を前記電荷排出部に排出する第２の動作モードで動作させるかを判定する判定手段と、
を備えることを特徴とする撮像装置。
【請求項８】
光を電荷に光電変換する第１の光電変換素子及び第２の光電変換素子と、前記第１の光電変換素子及び前記第２の光電変換素子で共有され、前記第１の光電変換素子又は前記第２の光電変換素子から転送された電荷を一時的に蓄積する蓄積部と、前記蓄積部に転送された電荷を電圧に変換する電荷電圧変換部と、前記第１の光電変換素子及び前記第２の光電変換素子で共有され、前記第１の光電変換素子又は前記第２の光電変換素子の余剰電荷を排出する電荷排出部とを備える光電変換装置の制御方法であって、
前記第１の光電変換素子又は前記第２の光電変換素子の光電変換により発生する電荷に基づく画像信号の信号量に応じて、前記第１の光電変換素子又は前記第２の光電変換素子の余剰電荷を前記蓄積部に排出する第１の動作モードで前記光電変換装置を動作させるか、前記第１の光電変換素子又は前記第２の光電変換素子の余剰電荷を前記電荷排出部に排出する第２の動作モードで動作させるかを判定することを特徴とする光電変換装置の制御方法。
【手続補正２】
【補正対象書類名】明細書
【補正対象項目名】００１７
【補正方法】変更
【補正の内容】
【００１７】
本発明の第１の側面は、光電変換装置に係り、光を電荷に光電変換する第１の光電変換素子及び第２の光電変換素子と、前記第１の光電変換素子及び前記第２の光電変換素子で共有され、前記第１の光電変換素子又は前記第２の光電変換素子から転送された電荷を一時的に蓄積する蓄積部と、前記第１の光電変換素子と前記蓄積部との間に配置された第１の転送スイッチと、前記第２の光電変換素子と前記蓄積部との間に配置された第２の転送スイッチと、前記蓄積部に蓄積された電荷を電圧に変換する電荷電圧変換部と、前記第１の光電変換素子及び前記第２の光電変換素子で共有され、前記第１の光電変換素子又は前記第２の光電変換素子の余剰電荷を排出する電荷排出部と、を備えることを特徴とする。
【手続補正３】
【補正対象書類名】明細書
【補正対象項目名】００１９
【補正方法】変更
【補正の内容】
【００１９】
本発明の第３の側面は、光を電荷に光電変換する第１の光電変換素子及び第２の光電変換素子と、前記第１の光電変換素子及び前記第２の光電変換素子で共有され、前記第１の光電変換素子又は前記第２の光電変換素子から転送された電荷を一時的に蓄積する蓄積部と、前記第１の光電変換素子と前記蓄積部との間に配置された第１の転送スイッチと、前記第２の光電変換素子と前記蓄積部との間に配置された第２の転送スイッチと、前記蓄積部に蓄積された電荷を電圧に変換する電荷電圧変換部と、前記第１の光電変換素子及び前記第２の光電変換素子で共有され、前記第１の光電変換素子又は前記第２の光電変換素子の余剰電荷を排出する電荷排出部とを備える光電変換装置を制御する方法に係り、前記第１の転送スイッチに第１の電圧を印加し、前記第２の転送スイッチに前記第１の電圧とは異なる第２の電圧を印加することを特徴とする。
本発明の第４の側面は、撮像装置に係り、光を電荷に光電変換する第１の光電変換素子及び第２の光電変換素子と、前記第１の光電変換素子及び前記第２の光電変換素子で共有され、前記第１の光電変換素子又は前記第２の光電変換素子から転送された電荷を一時的に蓄積する蓄積部と、前記蓄積部に転送された電荷を電圧に変換する電荷電圧変換部と、前記第１の光電変換素子及び前記第２の光電変換素子で共有され、前記第１の光電変換素子又は前記第２の光電変換素子の余剰電荷を排出する電荷排出部とを備える光電変換装置と、前記第１の光電変換素子又は前記第２の光電変換素子の光電変換により発生する電荷に基づく画像信号の信号量に応じて、前記第１の光電変換素子又は前記第２の光電変換素子の余剰電荷を前記蓄積部に排出する第１の動作モードで前記光電変換装置を動作させるか、前記第１の光電変換素子又は前記第２の光電変換素子の余剰電荷を前記電荷排出部に排出する第２の動作モードで動作させるかを判定する判定手段と、を備えることを特徴とする。
本発明の第５の側面は、光を電荷に光電変換する第１の光電変換素子及び第２の光電変換素子と、前記第１の光電変換素子及び前記第２の光電変換素子で共有され、前記第１の光電変換素子又は前記第２の光電変換素子から転送された電荷を一時的に蓄積する蓄積部と、前記蓄積部に転送された電荷を電圧に変換する電荷電圧変換部と、前記第１の光電変換素子及び前記第２の光電変換素子で共有され、前記第１の光電変換素子又は前記第２の光電変換素子の余剰電荷を排出する電荷排出部とを備える光電変換装置の制御方法に係り、前記第１の光電変換素子又は前記第２の光電変換素子の光電変換により発生する電荷に基づく画像信号の信号量に応じて、前記第１の光電変換素子又は前記第２の光電変換素子の余剰電荷を前記蓄積部に排出する第１の動作モードで前記光電変換装置を動作させるか、前記第１の光電変換素子又は前記第２の光電変換素子の余剰電荷を前記電荷排出部に排出する第２の動作モードで動作させるかを判定することを特徴とする。